(57)【特許請求の範囲】
【請求項１】
患者に血液浄化治療を施すための血液浄化器が取り付けられる複数の血液浄化手段と、
該血液浄化手段のそれぞれに透析液、透析液原液、清浄水又は消毒液を供給可能な供給手段と、
を具備した血液浄化システムにおいて、
前記複数の血液浄化手段と前記供給手段との間の通信により、前記複数の血液浄化手段に関する個々の所定情報をそれぞれの血液浄化手段から前記供給手段に対して送信可能とされ、前記所定情報は、前記供給手段から前記血液浄化手段に送られた液の温度、圧力、濃度若しくは流量、又は時間に関するリアルタイムな情報を含むことを特徴とする血液浄化システム。
【請求項２】
前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成ることを特徴とする請求項１記載の血液浄化システム。
【請求項３】
前記供給手段は、清浄水を作製し得る水処理装置を有して成るとともに、前記血液浄化手段は、前記水処理装置から供給された清浄水を用いて所定濃度の透析液を作製し、前記血液浄化器に供給する個人用透析装置から成ることを特徴とする請求項１記載の血液浄化システム。
【請求項４】
前記供給手段は、清浄水を作製し得る水処理装置、及び該水処理装置で作製された清浄水を用いて所定濃度の透析液原液を作製し得る溶解装置を有して成るとともに、前記血液浄化手段は、当該溶解装置及び水処理装置から供給された透析液原液及び清浄水を用いて所定濃度の透析液を作製し、前記血液浄化器に供給する個人用透析装置から成ることを特徴とする請求項１記載の血液浄化システム。
【請求項５】
前記血液浄化手段から前記所定情報が送信されたことを条件として、前記供給手段による所定の動作が行われることを特徴とする請求項１〜４の何れか１つに記載の血液浄化システム。
【請求項６】
前記所定情報は、前記血液浄化手段における配管の洗浄又は消毒を要求又は許可する要求情報又は許可情報であることを特徴とする請求項５記載の血液浄化システム。
【請求項７】
前記血液浄化手段のそれぞれで使用予定の透析液の量に関する情報が当該血液浄化手段から前記供給手段に送信されることを特徴とする請求項１〜６の何れか１つに記載の血液浄化システム。
【請求項８】
前記供給手段は、前記血液浄化手段から送信された使用予定の透析液の量に基づき透析液若しくは透析液原液の作製、当該作製の指示、又は作製を促す報知を行うことを特徴とする請求項７記載の血液浄化システム。
【請求項９】
前記血液浄化手段のそれぞれで必要とされる洗浄水、消毒液又は置換液の量に関する情報が当該血液浄化手段から前記供給手段に送信されることを特徴とする請求項１〜８の何れか１つに記載の血液浄化システム。
【請求項１０】
前記供給手段は、前記血液浄化手段から送信された必要とされる洗浄水、消毒液又は置換液の量に基づき当該洗浄水又は消毒液の供給を行うことを特徴とする請求項９記載の血液浄化システム。
【請求項１１】
前記供給手段は、各血液浄化手段における洗浄、消毒又は置換に関する履歴を表示し得ることを特徴とする請求項１〜１０の何れか１つに記載の血液浄化システム。
【請求項１２】
前記供給手段は、前記血液浄化手段に供給する液の情報と当該血液浄化手段から送信された前記所定情報とを比較することにより異常を検出可能とされたことを特徴とする請求項１〜１１の何れか１つに記載の血液浄化システム。
【発明の詳細な説明】
【技術分野】
【０００１】
本発明は、患者に血液浄化治療を施すための血液浄化器が取り付けられる複数の血液浄化手段と、該血液浄化手段のそれぞれに透析液又は透析液原液を供給可能な供給手段とを具備した血液浄化システムに関するものである。
【背景技術】
【０００２】
一般に、血液浄化システムは、病院等医療現場における機械室に透析液供給装置を設置しておき、これとは別の場所である透析室（治療室）に透析用監視装置を設置するとともに、これら透析液供給装置と透析用監視装置とを配管で連結させて構成されている。透析液供給装置は、清浄水が供給されて所定濃度の透析液を作製するものである一方、透析用監視装置は、患者に透析治療を施すための血液浄化器（ダイアライザ）の数に対応して複数設置され、透析液供給装置で作製された透析液を配管を介して導入し、血液浄化器に供給する。
【０００３】
すなわち、機械室に設置された透析液供給装置から透析室に設置された複数の透析用監視装置に分配して透析液を送液し、それぞれにおいてダイアライザに透析液を供給するよう構成されているのである。このように機械室で作製された透析液を各透析用監視装置に分配する血液浄化システムは、通常、「透析治療用セントラルシステム」と称される一方、血液浄化器毎（即ち透析治療患者の各々）に透析液の作製を行い得るものは、通常、「個人用透析装置」と称される。
【０００４】
しかるに、従来より、透析液供給装置と各透析用監視装置とを電気的に接続しておき、透析治療工程時、配管の洗浄工程又は消毒工程時において、当該透析液供給装置（供給手段）から各透析用監視装置（血液浄化手段）に対して電気信号（工程信号）を送信するものが提案されている（例えば、特許文献１参照）。これにより、各透析用監視装置は、所定の電気信号（工程信号）を受信すると、その信号に応じた動作（ポンプの駆動や電磁弁の開閉等）が行われることとなる。
【先行技術文献】
【特許文献】
【０００５】
【特許文献１】特開２００４−１６４１２号公報
【発明の概要】
【発明が解決しようとする課題】
【０００６】
しかしながら、上記従来の血液浄化システムにおいては、透析液供給装置（供給手段）から各透析用監視装置（血液浄化手段）に対して電気信号を一方的に送信するものであったため、当該透析用監視装置の実際の状態を正確に把握するのが困難であるという問題があった。かかる問題は、血液浄化手段が個人用透析装置とされたものにおいても同様である。
【０００７】
本発明は、このような事情に鑑みてなされたもので、血液浄化手段の実際の状態を正確に把握しつつ供給手段の動作を行わせることができる血液浄化システムを提供することにある。
【課題を解決するための手段】
【０００８】
請求項１記載の発明は、患者に血液浄化治療を施すための血液浄化器が取り付けられる複数の血液浄化手段と、該血液浄化手段のそれぞれに透析液、透析液原液、清浄水又は消毒液を供給可能な供給手段とを具備した血液浄化システムにおいて、前記複数の血液浄化手段と前記供給手段との間の通信により、前記複数の血液浄化手段に関する個々の所定情報をそれぞれの血液浄化手段から前記供給手段に対して送信可能とされ、前記所定情報は、前記供給手段から前記血液浄化手段に送られた液の温度、圧力、濃度若しくは流量、又は時間に関するリアルタイムな情報を含むことを特徴とする。
【００１０】
請求項２記載の発明は、請求項１記載の血液浄化システムにおいて、前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成ることを特徴とする。
【００１１】
請求項３記載の発明は、請求項１記載の血液浄化システムにおいて、前記供給手段は、清浄水を作製し得る水処理装置を有して成るとともに、前記血液浄化手段は、前記水処理装置から供給された清浄水を用いて所定濃度の透析液を作製し、前記血液浄化器に供給する個人用透析装置から成ることを特徴とする。
【００１２】
請求項４記載の発明は、請求項１記載の血液浄化システムにおいて、前記供給手段は、清浄水を作製し得る水処理装置、及び該水処理装置で作製された清浄水を用いて所定濃度の透析液原液を作製し得る溶解装置を有して成るとともに、前記血液浄化手段は、当該溶解装置及び水処理装置から供給された透析液原液及び清浄水を用いて所定濃度の透析液を作製し、前記血液浄化器に供給する個人用透析装置から成ることを特徴とする。
【００１３】
請求項５記載の発明は、請求項１〜４の何れか１つに記載の血液浄化システムにおいて、前記血液浄化手段から前記所定情報が送信されたことを条件として、前記供給手段による所定の動作が行われることを特徴とする。
【００１４】
請求項６記載の発明は、請求項５記載の血液浄化システムにおいて、前記所定情報は、前記血液浄化手段における配管の洗浄又は消毒を要求又は許可する要求情報又は許可情報であることを特徴とする。
【００１５】
請求項７記載の発明は、請求項１〜６の何れか１つに記載の血液浄化システムにおいて、前記血液浄化手段のそれぞれで使用予定の透析液の量に関する情報が当該血液浄化手段から前記供給手段に送信されることを特徴とする。
【００１６】
請求項８記載の発明は、請求項７記載の血液浄化システムにおいて、前記供給手段は、前記血液浄化手段から送信された使用予定の透析液の量に基づき透析液若しくは透析液原液の作製、当該作製の指示、又は作製を促す報知を行うことを特徴とする。
【００１７】
請求項９記載の発明は、請求項１〜８の何れか１つに記載の血液浄化システムにおいて、前記血液浄化手段のそれぞれで必要とされる洗浄水、消毒液又は置換液の量に関する情報が当該血液浄化手段から前記供給手段に送信されることを特徴とする。
【００１８】
請求項１０記載の発明は、請求項９記載の血液浄化システムにおいて、前記供給手段は、前記血液浄化手段から送信された必要とされる洗浄水、消毒液又は置換液の量に基づき当該洗浄水又は消毒液の供給を行うことを特徴とする。
【００１９】
請求項１１記載の発明は、請求項１〜１０の何れか１つに記載の血液浄化システムにおいて、前記供給手段は、各血液浄化手段における洗浄、消毒又は置換に関する履歴を表示し得ることを特徴とする。
【００２０】
請求項１２記載の発明は、請求項１〜１１の何れか１つに記載の血液浄化システムにおいて、前記供給手段は、前記血液浄化手段に供給する液の情報と当該血液浄化手段から送信された前記所定情報とを比較することにより異常を検出可能とされたことを特徴とする。
【発明の効果】
【００２２】
請求項１の発明によれば、複数の血液浄化手段に関する個々の所定情報をそれぞれの血液浄化手段から供給手段に対して送信可能とされたので、血液浄化手段の実際の状態を正確に把握しつつ供給手段の動作を行わせることができる。
【００２３】
さらに、所定情報は、供給手段から血液浄化手段に送られた液の温度、圧力、濃度若しくは流量、又は時間に関するリアルタイムな情報を含むので、血液浄化手段におけるリアルタイムな情報を供給手段に送信することができ、血液浄化手段の実際の状態をより正確に把握させることができる。
【００２４】
請求項２の発明によれば、供給手段は、清浄水及び透析液原液を用いて所定濃度の透析液を作製し得る透析液供給装置を有して成るとともに、血液浄化手段は、当該透析液供給装置から供給された透析液を血液浄化器に供給する監視装置から成るので、セントラルシステムに適用することができる。
【００２５】
請求項３の発明によれば、供給手段は、清浄水を作製し得る水処理装置を有して成るとともに、血液浄化手段は、水処理装置から供給された清浄水を用いて所定濃度の透析液を作製し、血液浄化器に供給する個人用透析装置から成るので、当該個人用透析装置を有した血液浄化システムに適用することができる。
【００２６】
請求項４の発明によれば、供給手段は、清浄水を作製し得る水処理装置、及び該水処理装置で作製された清浄水を用いて所定濃度の透析液原液を作製し得る溶解装置を有して成るとともに、血液浄化手段は、当該溶解装置及び水処理装置から供給された透析液原液及び清浄水を用いて所定濃度の透析液を作製し、血液浄化器に供給する個人用透析装置から成るので、当該個人用透析装置を有した血液浄化システムに適用することができる。
【００２７】
請求項５の発明によれば、血液浄化手段から所定情報が送信されたことを条件として、供給手段による所定の動作が行われるので、血液浄化手段の状態を優先して種々動作を行わせることができ、安全性をより向上させることができる。
【００２８】
請求項６の発明によれば、所定情報は、血液浄化手段における配管の洗浄又は消毒を要求又は許可する要求情報又は許可情報であるので、洗浄又は消毒時の安全性をより向上させることができる。
【００２９】
請求項７の発明によれば、血液浄化手段のそれぞれで使用予定の透析液の量に関する情報が当該血液浄化手段から供給手段に送信されるので、血液浄化手段の実際の状態を正確に把握しつつ供給手段による透析液又は透析液原液の供給を行わせることができる。
【００３０】
請求項８の発明によれば、供給手段は、血液浄化手段から送信された使用予定の透析液の量に基づき透析液若しくは透析液原液の作製、当該作製の指示、又は作製を促す報知を行うので、より適切な量の透析液又は透析液原液を作製することができる。
【００３１】
請求項９の発明によれば、血液浄化手段のそれぞれで必要とされる洗浄水、消毒液又は置換液の量に関する情報が当該血液浄化手段から供給手段に送信されるので、血液浄化手段の実際の状態を正確に把握しつつ供給手段による洗浄水又は消毒液の供給を行わせることができる。
【００３２】
請求項１０の発明によれば、供給手段は、前記血液浄化手段から送信された必要とされる洗浄水、消毒液又は置換液の量に基づき当該洗浄水又は消毒液の供給を行うので、より適切な量の洗浄水又は消毒液を作製することができる。
【００３３】
請求項１１の発明によれば、供給手段は、各血液浄化手段における洗浄、消毒又は置換に関する履歴を表示し得るので、各血液浄化手段の洗浄又は消毒が良好に行われたか否かの確認を一括して把握することができ、個々の血液浄化手段で表示された履歴をそれぞれ視認するものに比べ、作業性を向上させることができる。
【００３４】
請求項１２の発明によれば、供給手段は、血液浄化手段に供給する液の情報と当該血液浄化手段から送信された所定情報とを比較することにより異常を検出可能とされたので、より精度の高い自己診断を行わせることができ、血液浄化システムの信頼性をより一層向上させることができるとともに、自己診断のための別個のセンサ等を不要とすることができる。
【図面の簡単な説明】
【００３６】
【図１】本発明の実施形態に係る血液浄化システムを示す全体模式図
【図２】同血液浄化システムにおける監視装置の構成を示す模式図
【図３】同血液浄化システムにおける透析液供給装置の制御内容（優先制御）を示すフローチャート
【図４】同血液浄化システムにおける透析液供給装置の制御内容（透析液原液作製）を示すフローチャート
【図５】同血液浄化システムにおける透析液供給装置の制御内容（洗浄・消毒時間延長）を示すフローチャート
【図６】同血液浄化システムにおける透析液供給装置の制御内容（送液漏れの自己診断）を示すフローチャート
【図７】同血液浄化システムにおける透析液供給装置の制御内容（給液圧センサの異常自己診断）を示すフローチャート
【図８】同血液浄化システムにおける透析液供給装置の制御内容（電導度センサの異常自己診断）を示すフローチャート
【図９】本発明の他の実施形態に係る血液浄化システムを示す全体模式図
【図１０】本発明の他の実施形態に係る血液浄化システムを示す全体模式図
【発明を実施するための形態】
【００３７】
以下、本発明の実施形態について図面を参照しながら具体的に説明する。
本実施形態に係る血液浄化システムは、透析液原液から所定濃度の透析液を作製するとともに、その透析液を複数の透析用監視装置に供給するためのものであり、図１に示すように、病院等医療現場における透析室Ａ（治療室）に設置された複数の監視装置１と、当該医療現場における透析室Ａとは別の場所である機械室Ｂに設置された透析液供給装置２、溶解装置３及び水処理装置４とから主に構成される。
【００３８】
監視装置１（血液浄化手段）は、患者に血液浄化治療（血液透析治療）を施すためのダイアライザ５（血液浄化器）が取り付けられ、透析液供給装置２から供給された透析液を当該ダイアライザ５に供給するためのもので、透析室Ａに複数設置されている。かかる監視装置１は、血液透析治療や他の制御内容（洗浄又は消毒）の指示及び所定の表示を行わせ得るタッチパネル１ａが配設されている。
【００３９】
より具体的には、透析室Ａに設置された複数の監視装置１の各々は、図２に示すように、透析液供給装置２から延設された配管Ｌ１が引き込まれるとともに、図示しない排液手段に接続された配管Ｌ２を具備し、これら配管Ｌ１、Ｌ２に跨って複式ポンプ１２が配設されて構成されている。このうち監視装置１内における配管Ｌ１には、当該配管Ｌ１を流れる液体の流量を検出する流量検出センサ７、当該液体の給液圧を検出する液圧検出センサ８、及び当該液体の電導度（濃度）を検出する電導度検出センサ９が配設されている。
【００４０】
また、複式ポンプ１２からは、配管Ｌ１と連通した透析液導入ラインＬ４と、配管Ｌ２と連通した透析液排出ラインＬ５が延設されており、カプラＣを介して当該透析液導入ラインＬ４の先端をダイアライザ５の透析液導入口５ａに接続し得るとともに、カプラＣを介して当該透析液排出ラインＬ５の先端をダイアライザ５の透析液排出口５ｂに接続し得るよう構成されている。このように、各監視装置１には、それぞれ患者に応じたダイアライザ５が取り付けられるようになっており、当該ダイアライザ５には、患者の血液を体外循環させる血液回路６が接続されることとなる。
【００４１】
複式ポンプ１２のポンプ室は、図示しない単一のプランジャにより、配管Ｌ１に接続された送液側ポンプ室と、配管Ｌ２に接続された排出側ポンプ室とに隔成されており、当該プランジャが往復動することにより、送液側ポンプ室に送られた透析液又は洗浄液をダイアライザ５に供給するとともに、ダイアライザ５内の透析液を排出側ポンプ室に吸入するよう構成されている。さらに、監視装置１内には、複式ポンプ１２をバイパスしつつ配管Ｌ２と透析液排出ラインＬ５とを連通する配管Ｌ３が形成されており、この配管Ｌ３の途中に除水ポンプ１３が配設されている。かかる除水ポンプ１３を駆動させることにより、ダイアライザ５内を流れる患者の血液に対して除水を行わせることが可能とされる。
【００４２】
なお、複式ポンプ１２に代えて、所謂チャンバ形式のものとしてもよいとともに、流量検出センサ７、液圧検出センサ８或いは電導度検出センサ９等のセンサ類は、任意のものを配設してもよく若しくは他の汎用的なものを加えるようにしてもよい。さらに、本実施形態においては、当該センサ類を配管Ｌ１に配設するようにしているが、他の配管（例えば配管Ｌ２）に配設するものとしてもよい。例えば流量検出センサ７、液圧検出センサ８或いは電導度検出センサ９等のセンサ類を配管Ｌ１又は配管Ｌ２の何れか一方に配設させたもの或いは両方に配設させたものとしてもよい。
【００４３】
水処理装置４は、内部に濾過膜等を内在したモジュール（浄化濾過器）を具備し、原水を浄化して清浄水（ＲＯ水）を得るためのものであり、配管Ｌ８を介して溶解装置３と連結されて当該溶解装置３に清浄水を供給し得るとともに、配管Ｌ６、Ｌ７を介して透析液供給装置２と連結されて当該透析液供給装置２に清浄水を供給し得るよう構成されている。かかる水処理装置４で得られた清浄水は、透析液供給装置２にて透析液を作製する際に用いられたり或いは当該透析液供給装置２や監視装置１の配管等を洗浄する洗浄水としても用いられる。なお、水処理装置４を図示しない個人用透析装置や粉末状透析用薬剤を溶解する溶解装置等と連結し、これらに清浄水を供給するよう構成してもよい。
【００４４】
また、水処理装置４は、水処理に関する制御内容の指示及び所定の表示を行わせ得るタッチパネル４ａが配設されているとともに、ＬＡＮケーブルβと電気的に接続されるインターフェイス部１６及び制御部１７を具備している。そして、インターフェイス部１６にて透析液供給装置２等から所定の情報を受信すると、その情報に基づいて制御部１７による所定の動作（清浄水の作製等）が行われるようになっている。
【００４５】
溶解装置３は、例えば所定量の透析用粉体薬剤が投入されるとともに、その透析用粉体薬剤と水処理装置４から供給された清浄水とを混合（ミキシング）して所定濃度の透析液原液を作製するためのものである。この溶解装置３は、透析液原液作製に関する制御内容の指示及び所定の表示を行わせ得るタッチパネル３ａが配設されているとともに、後述するＬＡＮケーブルβと電気的に接続されるインターフェイス部１８及び制御部１９を具備している。そして、インターフェイス部１８にて透析液供給装置２等から所定の情報を受信すると、その情報に基づいて制御部１９による所定の動作（透析液原液の作製等）が行われるようになっている。なお、溶解装置３は、配管Ｌ６を介して透析液供給装置２と接続されており、作製された透析液原液を透析液供給装置２に供給し得るよう構成されている。
【００４６】
しかして、透析液供給装置２、溶解装置３及び水処理装置４は、ＬＡＮ（ローカルエリアネットワーク：構内通信網）にて接続されており、双方向の情報の通信が可能とされている。かかるＬＡＮは、本実施形態の如くＬＡＮケーブルβを用いるもの（有線）に限らず、無線で双方向の情報の通信が可能なもの（無線ＬＡＮ）であってもよい。なお、当該ＬＡＮに代えて、透析液供給装置２から溶解装置３及び水処理装置４に対して一方的に電気信号（工程信号）を送信し得るものとしてもよい。
【００４７】
透析液供給装置２（供給手段）は、水処理装置４で得られた清浄水及び溶解装置３で作製された透析液原液を用いて所定濃度の透析液を作製し得るとともに、監視装置１（血液浄化手段）のそれぞれに作製した透析液を供給可能なものである。すなわち、透析液供給装置２は、配管Ｌ１を介して複数の監視装置１のそれぞれと接続されており、かかる配管Ｌ１を介して監視装置１のそれぞれに透析液、洗浄水及び消毒液等の所望の液体を供給し得るよう構成されているのである。なお、透析液供給装置２には、透析液供給や洗浄又は消毒に関する制御内容の指示及び所定の表示を行わせ得るタッチパネル２ａが配設されている。
【００４８】
ここで、本実施形態に係る血液浄化システムにおいては、透析液供給装置２（供給手段）とそれぞれの監視装置１（血液浄化手段）とが、ＬＡＮ（ローカルエリアネットワーク：構内通信網）にて接続されており、双方向の情報の通信が可能とされている。これにより、本血液浄化システムにおいては、複数の監視装置１に関する個々の所定情報をそれぞれの監視装置１から透析液供給装置２に対して送信可能な構成とされている。
【００４９】
すなわち、透析液供給装置２とそれぞれの監視装置１との間は、ＬＡＮケーブルαを介在してＬＡＮ接続されているとともに、透析液供給装置２にはＬＡＮケーブルαを介して監視装置１との間で通信するためのインターフェイス部１４及び制御部１５が配設される一方、監視装置１のそれぞれにはＬＡＮケーブルαを介して透析液供給装置２との間で通信するためのインターフェイス部１０及び制御部１１（図２参照）が配設されているのである。なお、かかるＬＡＮは、本実施形態の如くＬＡＮケーブルαを用いるもの（有線）に限らず、無線で双方向の情報の通信が可能なもの（無線ＬＡＮ）であってもよい。
【００５０】
そして、透析液供給装置２においては、インターフェイス部１４にて監視装置１から所定の情報を受信すると、その情報に基づいて制御部１５による所定の動作（透析液の作製等）が行われるとともに、当該インターフェイス部１４を介して所定の情報を監視装置１に送信し得るようになっている。また、監視装置１においては、インターフェイス部１０にて透析液供給装置２から所定の情報を受信すると、その情報に基づいて制御部１１による所定の動作（治療前のプライミング、血液透析治療、返血、洗浄・消毒等）が行われるとともに、当該インターフェイス部１０を介して所定の情報を透析液供給装置２に送信し得るようになっている。
【００５１】
特に、透析液供給装置２に対して送信されるべき複数の監視装置１に関する個々の所定情報は、例えば透析液供給装置２から監視装置１に送られた液（透析液又は洗浄水等）であって当該監視装置１内を流れる液の温度、圧力、濃度若しくは流量、又は時間（送液時間、動作時間等）に関する情報（パラメータ情報）、或いは監視装置１にて行われている工程（治療前のプライミング工程、血液透析治療工程、返血工程、洗浄・消毒工程、置換工程等）に関する情報（工程情報）等から成るものである。なお、置換工程は、洗浄・消毒工程後の配管に対して、治療開始前に十分な量の透析液を流通させ、当該配管内を完全に透析液で満たす工程をいい、この場合の置換液は透析液を指すものとされる。
【００５２】
また、本実施形態においては、上記の如きリアルタイムな情報の他、それぞれの監視装置１において予め定められている設定情報（透析液供給装置２から監視装置１までの離間寸法、洗浄、消毒又は置換を行う際に必要とされる洗浄水、消毒液又は置換液の流量或いは配管容量、洗浄・消毒を行うべき頻度等）をそれぞれの監視装置１から透析液供給装置２に送信し得るよう構成されている。
【００５３】
ここで、本実施形態においては、監視装置１から所定情報が送信されたことを条件として、透析液供給装置２による所定の動作が行われるよう構成されている。このように、監視装置１から所定情報が送信されたことを条件として、透析液供給装置２による所定の動作が行われるので、監視装置１の状態を優先して種々動作を行わせることができ、安全性をより向上させることができる。
【００５４】
しかるに、監視装置１から所定情報が送信されたことを条件として、透析液供給装置２による所定の動作が行われる構成を前提としたものにおいて、例えば所定情報は、監視装置１における配管の洗浄、消毒若しくは置換を要求又は許可する要求情報又は許可情報とされたものとしてもよい。この場合、所定情報は、血液浄化手段における配管の洗浄、消毒若しくは置換を要求又は許可する要求情報若しくは許可情報であるので、洗浄、消毒又は置換時の安全性をより向上させることができる。以下、この場合の透析液供給装置２における制御内容について図３のフローチャートに基づいて説明する。
【００５５】
例えば各監視装置１に対して洗浄・消毒若しくは置換の要求情報又は許可情報があるか否かを送信した後、それぞれの監視装置１から当該洗浄・消毒若しくは置換の要求情報又は許可情報を取得する（Ｓ１）。そして、全ての監視装置１から洗浄・消毒の要求情報又は許可情報を受信したか否かが判定され（Ｓ２）、全ての監視装置１から洗浄・消毒の要求情報又は許可情報を受信したと判定されると、Ｓ３に進み、洗浄・消毒が開始される。
【００５６】
また、本実施形態においては、監視装置１のそれぞれで使用予定の透析液の量に関する情報が当該監視装置１から透析液供給装置２に送信されるよう構成されている。このように、監視装置１のそれぞれで使用予定の透析液の量に関する情報が当該監視装置１から透析液供給装置２に送信されるので、監視装置１の実際の状態を正確に把握しつつ透析液供給装置２による透析液又は透析液原液の供給を行わせることができる。
【００５７】
しかるに、監視装置１のそれぞれで使用予定の透析液の量に関する情報が当該監視装置１から透析液供給装置２に送信される構成を前提したものにおいて、例えば透析液供給装置２は、監視装置１から送信された使用予定の透析液の量に基づき透析液若しくは透析液原液の作製、当該作製の指示又は作製を促す報知を行うよう構成されたものとしてもよい。この場合、透析液供給装置２は、監視装置１から送信された使用予定の透析液の量に基づき透析液若しくは透析液原液の作製、当該作製の指示又は作製を促す報知を行うので、より適切な量の透析液又は透析液原液を作製することができる。以下、この場合の透析液供給装置２における制御内容について図４のフローチャートに基づいて説明する。
【００５８】
例えば各監視装置１に対して使用予定の透析液の量に関する情報を発信するよう指示した後、それぞれの監視装置１から使用予定の透析液の量に関する情報（例えば、透析液の量、流速、供給時間、供給時刻等の情報）を取得する（Ｓ１）。なお、各監視装置１に対して使用予定の透析液の量に関する情報を発信するよう指示することなく、それぞれの監視装置１から使用予定の透析液の量に関する情報が発信されて取得するものであってもよい。そして、それぞれの監視装置１から受信した使用予定の透析液の量に関する情報に基づき、全ての監視装置１で使用予定の透析液の量を判断し、その使用予定の透析液の量と溶解装置３で作製された透析液原液の準備量とを比較する（Ｓ２）。
【００５９】
このＳ２の比較により、溶解装置３で作製された透析液原液の準備量が不足するか否かが判定され（Ｓ３）、当該透析液原液の準備量が不足すると判定されると、溶解装置３及び水処理装置４に指示を送信し、不足量に応じた量の透析液原液の作製を行わせる（Ｓ４）。その後、透析液の使用（透析治療時、或いはプライミングや返血等に透析液を使用する場合はその使用）が終了したか否かが判定され（Ｓ５）、終了したと判定されると、一連の制御が終了する。なお、Ｓ３にて透析液原液の準備量が不足しないと判定されると、Ｓ４による処理は行われず、Ｓ５に進むこととなる。ここで、例えば連動されない溶解装置又は水処理装置を用いた場合は、透析液若しくは透析液原液の作製を促す報知を行わせるよう構成できる。
【００６０】
さらに、本実施形態においては、監視装置１のそれぞれで必要とされる洗浄水の量又は消毒液の量に関する情報が当該監視装置１から透析液供給装置２に送信されるよう構成されている。このように、監視装置１のそれぞれで必要とされる洗浄水の量又は消毒液の量に関する情報が当該監視装置１から透析液供給装置２に送信されるので、監視装置１の実際の状態を正確に把握しつつ透析液供給装置２による洗浄水又は消毒液の供給を行わせることができる。
【００６１】
しかるに、監視装置１のそれぞれで必要とされる洗浄水、消毒液又は置換液（透析液）の量に関する情報が当該監視装置１から透析液供給装置２に送信される構成を前提としてものにおいて、例えば透析液供給装置２は、監視装置１から送信された必要とされる洗浄水の量、消毒液の量又は置換液の量に基づき当該洗浄水、消毒液又は置換液の供給を行うよう構成されたものとしてもよい。この場合、透析液供給装置２は、監視装置１から送信された必要とされる洗浄水量、消毒液量又は置換液量に基づき当該洗浄水、消毒液又は置換液の供給を行うので、より適切な量の洗浄水、消毒液又は置換液を作製することができる。
【００６２】
また更に、血液透析治療が行われない時間帯で洗浄及び消毒を自動運転にて行わせるものを前提とするとともに、監視装置１にて行われる洗浄、消毒及び置換の進捗情報を透析液供給装置２にリアルタイムで送信し、その進捗に応じて洗浄、消毒及び置換時間を自動的に延長させるものとしてもよい。以下、この場合の透析液供給装置２における制御内容について図５のフローチャートに基づいて説明する。
【００６３】
例えば各監視装置１に対して洗浄及び消毒又は置換に関する情報（例えば、液の種類、量、流速、供給時間、供給時刻、又は液の温度若しくは濃度等）を要求（Ｓ１）することにより、それぞれの監視装置１から洗浄及び消毒又は置換に関する情報を取得（Ｓ２）した後、洗浄及び消毒又は置換が開始される（Ｓ３）。そして、監視装置１からの情報をリアルタイムに取得して、洗浄及び消毒又は置換の進捗を監視する（Ｓ４）とともに、その洗浄及び消毒又は置換に遅れが生じたか否かが判定される（Ｓ５）。
【００６４】
Ｓ５にて洗浄及び消毒又は置換に遅れが生じたと判定されると、Ｓ６に進み、当該遅れを報知するとともに、洗浄及び消毒時間又は置換時間を遅れ時間に応じて延長させる。その後、洗浄又は置換及び消毒が終了したか否かが判定され（Ｓ７）、終了したと判定されると、一連の制御が終了する。なお、Ｓ５にて遅れが生じていないと判定されると、Ｓ６による処理は行われず、Ｓ７に進むこととなる。
【００６５】
ここで、洗浄及び消毒時又は置換の履歴（例えば洗浄や消毒或いは置換が良好に行われた旨、不具合が生じた旨などの履歴）は、各監視装置１におけるタッチパネル１ａに表示されるとともに、透析液供給装置２におけるタッチパネル２ａに、各監視装置１における洗浄、消毒又は置換に関する履歴が表示（一括表示或いは選択表示）されるようになっている。このように、透析液供給装置２は、各監視装置１における洗浄又は消毒又は置換に関する履歴を表示し得るので、各監視装置１の洗浄、消毒又は置換が良好に行われたか否かの確認を一括して把握することができ、個々の監視装置１で表示された履歴をそれぞれ視認するものに比べ、作業性を向上させることができる。なお、洗浄、消毒又は置換に不足が生じた際には、その旨の報知を行わせるよう構成するのが好ましい。
【００６６】
さらに、本実施形態においては、透析液供給装置２は、監視装置１に供給する液の情報と当該監視装置１から送信された所定情報とを比較することにより異常を検出可能とされている。このように、透析液供給装置２は、監視装置１に供給する液の情報と当該監視装置１から送信された所定情報とを比較することにより異常を検出可能とされたので、より精度の高い自己診断を行わせることができ、血液浄化システムの信頼性をより一層向上させることができるとともに、自己診断のための別個のセンサ等を不要とすることができる。以下に、異常検出のための制御内容について、図６〜図８のフローチャートに基づいて説明する。
【００６７】
先ず、送液漏れの自己診断を行うものについて、図６のフローチャートに基づいて説明する。
流量検出センサ７にて各監視装置１で使用された透析液量（透析液の流量）を検出し、その検出情報を透析液供給装置２に送信させることにより、当該監視装置１から使用された透析液量の情報を取得するとともに、その監視装置１で使用された透析液量と透析液供給装置２から送液した透析液の送液量とを比較する（Ｓ１）。そして、Ｓ２にて、監視装置１で使用された透析液量と透析液供給装置２から送液した透析液の送液量とが一致せず不整合であると判定されると、透析液を流通させる配管において送液漏れが生じていると判定し、その旨の警報を行う（Ｓ３）。なお、Ｓ２にて、監視装置１で使用された透析液量と透析液供給装置２から送液した透析液の送液量とが一致すると判定されると、Ｓ３の警報は行われず、そのまま当該自己診断が終了することとなる。しかるに、Ｓ１において、流量検出センサ７にて各監視装置１で使用された透析液量（透析液の流量）を検出しているが、例えば各監視装置１で使用されるであろう透析液量の設定値（当該監視装置１の配管容量から求められる理論値）を用いて、透析液供給装置２から送液した透析液の送液量と比較するよう構成してもよい。
【００６８】
次に、液圧検出センサ８の自己診断を行うものについて、図７のフローチャートに基づいて説明する。
液圧検出センサ８にて各監視装置１に送られた透析液の液圧（給液圧）を検出し、その検出情報を透析液供給装置２に送信させることにより、液圧検出センサ８による検出情報を取得するとともに、その検出情報と透析液供給装置２からの透析液の送液圧とを比較する（Ｓ１）。そして、Ｓ２にて、液圧検出センサ８による検出情報と透析液供給装置２側で検出された送液圧とが一致せず不整合であると判定されると、当該液圧検出センサ８が故障等により異常があると判定し、その旨の警報を行う（Ｓ３）。なお、Ｓ２にて、液圧検出センサ８による検出情報と透析液供給装置２側で検出された送液圧とが一致すると判定されると、Ｓ３の警報は行われず、そのまま当該自己診断が終了することとなる。
【００６９】
次に、透析液の濃度の自己診断を行うものについて、図８のフローチャートに基づいて説明する。
電導度検出センサ９にて各監視装置１に送られた透析液の濃度（電導度）を検出し、その検出情報を透析液供給装置２に送信させることにより、監視装置１における透析液の濃度情報を取得するとともに、その検出情報と透析液供給装置２からの透析液の濃度（電導度）とを比較する（Ｓ１）。そして、Ｓ２にて、電導度検出センサ９による検出情報と透析液供給装置２側で検出された濃度（電導度）とが一致せず不整合であると判定されると、当該電導度検出センサ９が故障等により異常があると判定し、その旨の警報を行う（Ｓ３）。なお、Ｓ２にて、電導度検出センサ９による検出情報と透析液供給装置２側で検出された濃度（電導度）とが一致すると判定されると、Ｓ３の警報は行われず、そのまま当該自己診断が終了することとなる。
【００７０】
上記実施形態によれば、複数の監視装置１（血液浄化手段）に関する個々の所定情報をそれぞれの監視装置１から透析液供給装置２（供給手段）に対して送信可能とされたので、監視装置１の実際の状態を正確に把握しつつ透析液供給装置２の動作を行わせることができる。特に、送信される所定情報は、透析液供給装置２から監視装置１に送られた液の温度、圧力、濃度若しくは流量、又は時間に関する情報を含むので、監視装置１におけるリアルタイムな情報を透析液供給装置２に送信することができ、監視装置１の実施の状態をより正確に把握させることができる。
【００７１】
さらに、本実施形態によれば、供給手段は、清浄水及び透析液原液を用いて所定濃度の透析液を作製し得る透析液供給装置２から成るとともに、血液浄化手段は、当該透析液供給装置２から供給された透析液をダイアライザ５（血液浄化器）に供給する監視装置１から成るので、セントラルシステムに適用することができる。また、透析液供給装置２と監視装置１とは双方向に通信可能とされたので、当該透析液供給装置２と監視装置１との間で種々情報を通信させることができ、より適切且つ安全な血液浄化治療を行わせることができる。
【００７２】
以上、本実施形態に係る血液浄化システムついて説明したが、本発明はこれに限定されるものではなく、例えば上記の如きセントラルシステムから成るものに代えて、図９に示すように、供給手段は、清浄水を作製し得る水処理装置４を有して成るとともに、血液浄化手段は、水処理装置４から供給された清浄水を用いて所定濃度の透析液を作製し、ダイアライザ５（血液浄化器）に供給する個人用透析装置２０から成るものに適用してもよい。この場合、個人用透析装置２０は、それぞれ透析液原液或いは消毒液を収容したタンクＴ１を具備するとともに、水処理装置４と配管Ｌ９で連結され、当該水処理装置４から送液された清浄水及びタンクＴ１内の透析液原液を用いて所定濃度の透析液を作製し或いは希釈した消毒液を作製し得るようになっている。
【００７３】
すなわち、図１で示される実施形態においては、監視装置１のそれぞれに透析液を供給可能な透析液供給装置２（溶解装置３及び水処理装置４を含む）にて供給手段を構成させているが、血液浄化手段がダイアライザ５（血液浄化器）を有し、タンクＴ１内の透析液原液から透析液を作製可能な個人用透析装置２０から成る血液浄化システムとしてもよいのである。
【００７４】
さらに、例えば上記の如きセントラルシステムから成るものに代えて、図１０に示すように、供給手段は、清浄水を作製し得る水処理装置４、及び該水処理装置４で作製された清浄水を用いて所定濃度の透析液原液を作製し得る溶解装置３を有して成るとともに、血液浄化手段は、当該溶解装置３及び水処理装置４から供給された透析液原液及び清浄水を用いて所定濃度の透析液を作製し、ダイアライザ５（血液浄化器）に供給する個人用透析装置２１から成るものに適用してもよい。この場合、個人用透析装置２１は、それぞれ消毒液を収容したタンクＴ２を具備するとともに、溶解装置３及び水処理装置４と配管Ｌ１０、Ｌ１１でそれぞれ連結され、当該溶解装置３及び水処理装置４から送液された透析液原液及び清浄水を用いて所定濃度の透析液を作製し或いは希釈した消毒液を作製し得るようになっている。
【００７５】
すなわち、図１で示される実施形態においては、監視装置１のそれぞれに透析液を供給可能な透析液供給装置２（溶解装置３及び水処理装置４を含む）にて供給手段を構成させているが、血液浄化手段がダイアライザ５（血液浄化器）を有し、供給手段側から送液された透析液原液及び清浄水から透析液を作製可能な個人用透析装置２１から成る血液浄化システムとしてもよいのである。
【００７６】
また、本実施形態においては、透析液供給装置２と監視装置１とはＬＡＮ接続されて双方向に通信可能とされているが、複数の監視装置１（血液浄化手段）に関する個々の所定情報をそれぞれの監視装置１から透析液供給装置２に対して送信可能とされたものであれば足り、監視装置１から透析液供給装置２に一方的に所定情報が送信されるものとしてもよい。なお、本実施形態においては、血液透析治療を行うシステムとされているが、他の血液浄化治療を行う血液浄化システムに適用するようにしてもよい。
【産業上の利用可能性】
【００７７】
複数の血液浄化手段と供給手段との間の通信により、複数の血液浄化手段に関する個々の所定情報をそれぞれの血液浄化手段から供給手段に対して送信可能とされ、所定情報は、供給手段から血液浄化手段に送られた液の温度、圧力、濃度若しくは流量、又は時間に関するリアルタイムな情報を含む血液浄化システムであれば、他の機能が付加されたもの等にも適用することができる。
【符号の説明】
【００７８】
１  監視装置（血液浄化手段）
２  透析液供給装置（供給手段）
３  溶解装置
４  水処理装置
５  ダイアライザ（血液浄化器）
６  血液回路
７  流量検出センサ
８  液圧検出センサ
９  電導度検出センサ
１０  インターフェイス部
１１  制御部
１２  複式ポンプ
１３  除水ポンプ
１４  インターフェイス部
１５  制御部
１６  インターフェイス部
１７  制御部
１８  インターフェイス部
１９  制御部
【図１】
0005483741.tif 000002
【図２】
0005483741.tif 000003
【図３】
0005483741.tif 000004
【図４】
0005483741.tif 000005
【図５】
0005483741.tif 000006
【図６】
0005483741.tif 000007
【図７】
0005483741.tif 000008
【図８】
0005483741.tif 000009
【図９】
0005483741.tif 000010
【図１０】
0005483741.tif 000011